(57)【特許請求の範囲】
【請求項１】
移動通信システムにおけるハンドオーバーの電力制御方法において、移動ステーションがセルにおいて送信するのに許された最大送信電力レベルを各セルに指定し、
移動ステーションがハンドオーバーの前にそれぞれの移動ステーションにおいてハンドオーバーのターゲットセルのダウンリンク信号の受信レベルを測定し、
ターゲットセルのダウンリンク信号の上記測定された受信レベルを用いることにより各ターゲットセルに対する移動ステーションの送信電力レベルを決定し、そして
上記決定された送信電力レベルをハンドオーバーの後のターゲットセルの初期出力電力レベルとして使用するように移動ステーションに指令するステップを含む電力制御方法。
【請求項２】
各セルは、移動ステーションがハンドオーバーの後に達成すべきアップリンク信号の最適なレベルを指定し、
移動ステーションがハンドオーバーの後にターゲットセルにおいて使用すべき送信電力レベルを、ターゲットセルの上記測定された受信レベルがターゲットセルのアップリンク信号の最適なレベルより高い場合には、上記ターゲットセルのアップリンク信号の最適なレベルと上記ダウンリンク信号の測定された受信レベルとの間の差に等しい量だけ、ターゲットセルの最大送信電力レベルより小さい値にセットするステップを含む請求項１に記載の方法。
【請求項３】
ターゲットセルのダウンリンク信号の測定された受信レベルとターゲットセルのアップリンク信号の最適なレベルとの間のレベル差を決定し、
上記レベル差をターゲットセルの最大送信電力レベルから減算することにより移動ステーションがターゲットセルにおいて使用すべき送信電力を決定し、
上記決定された送信電力を、ハンドオーバーの後のターゲットセルの初期電力出力レベルとして使用するように移動ステーションに指令するステップを含む請求項２に記載の方法。
【請求項４】
移動ステーション及びベースステーションには、ハンドオーバーの前に、移動ステーションがターゲットセルにおいて使用すべき送信電力レベルが知らされる請求項１、２又は３に記載の方法。
【請求項５】
移動ステーションがターゲットセルにおいて使用すべき送信電力レベルをハンドオーバーコマンドにおいて移動ステーションへ送ると共に、新たなチャンネルが割り当てられるに際してベースステーションに送る請求項１、２又は３に記載の方法。
【請求項６】
セットし、決定し、指令し、知らされ、及び、送る前記ステップが、移動通信ネットワークによって、好ましくは、移動通信ネットワーク内でのハンドオーバを制御するコントローラによって実行される、以上の請求項１から５のいずれかに記載の方法。
【請求項７】
移動通信システムにおけるハンドオーバーのための電力制御構成体において、各セルが、移動ステーションがセルにおいて送信することが許された最大送信電力レベルと、ハンドオーバーの後に移動ステーションが実現すべきアップリンク信号のための最適なレベルを持ち、
ターゲットセルの測定された受信レベルがターゲットセルのアップリンク信号の最適レベルより高い場合に、ハンドオーバーの後の移動ステーションの送信電力レベルが、ターゲットセルのアップリンク信号の最適なレベルと、ハンドオーバ前に移動ステーションにより測定された上記ターゲットセルのダウンリンク信号の受信レベルとの間の差に等しい量だけ、ターゲットセルの最大送信電力レベルより小さいようにセットするための制御手段を備える構成体。
【請求項８】
セルの最大送信電力レベル及びアップリンク信号の最適なレベルに関する情報は、ベースステーションコントローラに記憶され、そしてベースステーションコントローラは、それがサービスするセルにおけるハンドオーバー状態及び電力を制御するようにされている請求項７に記載の構成体。
【請求項９】
移動通信ネットワーク内のベース・ステーション間のハンドオーバを制御するためのコントローラであって、
各セルに対して、そのレベルにおいて移動ステーションが、それぞれのセルにおいて送信することが許容される、最大送信電力レベル、及び、ハンドオーバ後に移動ステーションが実現すべきアップリンク信号のための最適レベルをセットするための手段、
移動ステーションから、ハンドオーバ前の、それぞれの移動ステーションにおける、ハンドオーバ・ターゲット・セルの、測定された受信されたレベルを含む測定レポートを受信するための手段、
ターゲット・セルのダウンリンク信号の測定された受信レベルを利用することによって、各ターゲット・セルに対する移動ステーションの送信電力レベルを決定するための手段、
移動ステーションに、前記決定された送信電力レベルを、ハンドオーバ後のターゲット・セル内の初期出力電力レベルとして使用するように指令するための手段、
を備えるコントローラ。
【請求項１０】
各セルに、ハンドオーバ後に移動ステーションが実現すべき、アップリンク信号のための最適レベルを割当てるための手段、
もし、ターゲット・セルの測定された受信レベルが、ターゲット・セルのアップリンク信号の最適レベルより高いならば、移動ステーションが、ハンドオーバの後にターゲット・セルで使用すべき送信電力レベルを、ターゲット・セルの最大送信電力レベルより、ターゲット・セルのアプリンク信号の最適レベルと、ダウンリンク信号の測定された受信レベルの間の差異に等しい値だけ低い値にセットするための手段、
を更に備える、請求項９に記載のコントローラ。
【請求項１１】
ターゲット・セルのダウンリンク信号の測定された受信レベルと、ターゲット・セルのアップリンク信号の最適レベルの間のレベル差を決定するための手段、
ターゲット・セルの最大送信電力レベルから前記レベル差を減算することによって、ターゲットセルにおいて移動ステーションが使用すべき送信電力を決定するための手段、
移動ステーションに、前記決定された送信電力を、ハンドオーバの後の、ターゲット・セルにおける初期電力出力レベルとして使用するようにを指令するための手段、
を更に備える、請求項１０に記載のコントローラ。
【請求項１２】
ターゲット・セルにおいて移動ステーションが使用すべき決定された送信電力レベルを、ハンドーバ指令において移動ステーションに送信し、そして、新しいチャンネルが割当てられる際に場合にベース・ステーションに送信するための手段、
を備える、請求項９、１０、又は１１に記載のコントローラ。
【請求項１３】
ハンドオーバ前に、それぞれの移動ステーションにおける、ハンドオーバ・ターゲット・セルの受信されたレベルを測定するための手段、
ターゲット・セルのダウンリンク信号の測定された受信レベルを利用することによって、移動通信ネットワークが、各ターゲット・セルに対する移動ステーションの送信電力レベルを決定することを可能とするために、移動通信ネットワークに、ハンドオーバ・ターゲット・セルの、測定された受信されたレベルを含む測定レポートを送るための手段、及び、
移動通信ネットワークからのハンドオーバ指令を受信するための手段であって、当該ハンドオーバ指令が、ターゲット・セルにおいて移動ステーションが使用すべき、決定された送信電力レベルを含む手段、
を備える移動通信システムのための移動ステーション。
【発明の詳細な説明】
発明の分野
本発明は、移動通信システムにおけるハンドオーバーのための電力制御方法及び構成体に係る。
先行技術の説明
近代的な移動通信システムの特徴は、移動ステーションが移動通信システム内を自由にローミングしそして１つのセルから別のセルへ接続できることである。移動ステーションが進行中通話をもたない場合には、セルを横断するときに、新たなセルへの登録が生じるだけである。移動ステーションＭＳがセルの横断中に通話を取り扱う場合には、通話にできるだけ乱れを生じさせない方法で通話を新たなセルへ切り換えねばならない。進行中通話の間のセル横断プロセスをハンドオーバーと称する。ハンドオーバーは、セル内で１つのトラフィックチャンネルから別のトラフィックチャンネルへと行われてもよい。移動通信システムがハンドオーバーの必要性を検出しそしてハンドオーバーのための適当なターゲットセルを選択できるようにするために、種々の種類の測定を行って、隣接セルの接続の質及び電界強度レベルを決定することが必要となる。サービスしているセルからその隣接セルへのハンドオーバーを実行できるのは、例えば、（１）移動ステーション／ベースステーションの測定結果が、現在のサービスセルの信号レベル及び／又は質が低く且つ隣接セルに良好な信号レベルが得られることを指示するとき、或いは（２）隣接セルが低い送信電力レベルで通信を行えるときである。後者は、移動ステーションがセル間の境界領域にある場合に生じる。無線ネットワークにおいては、不必要に高い電力レベルを回避し、ひいては、ネットワークのどこかに生じる干渉を回避することを目的とする。
移動ステーションの送信電力は、通常、電力制御アルゴリズムにより固定ネットワークから制御される。移動ステーションは、サービスセルのベースステーションから受信したダウンリンク信号の受信レベル（電界強度）及び質を測定し、そしてサービスセルのベースステーションは、移動ステーションから受信したアップリンク信号の受信レベル（電界強度）及び質を測定する。これらの測定結果及びプリセットされた電力制御パラメータに基づき、電力制御アルゴリズムは、移動ステーションが電力制御コマンドにおいて通知されるところの適当な送信電力レベルを決定する。通話中に、電力制御が続けられる。
しかしながら、この種の移動通信システムは、ハンドオーバー後の状態に関して問題がある。ハンドオーバーに続き、移動ステーション及び新たなセルのベースステーションから充分な数の測定結果が得られるまでに、そして電力制御アルゴリズムがベースステーション及び移動ステーションの送信電力レベルを最適に調整できるまでに、しばらくの時間がかかる。このため、移動ステーションは、ハンドオーバーに続いて、新たなセルにおいて許される最大送信電力を使用することが最初に指令される。最大の許容送信電力は、ハンドオーバーが行われるときにセルの境界領域に位置している移動ステーションにも充分な接続の質を確保するものである。しかしながら、ハンドオーバーが行われるときまでには移動ステーションは更に接近しており、最大の許容送信電力は、不必要に高いものとなる。電力制御は、移動ステーションの送信電力を適当なレベルまで急速に減速させるが、ハンドオーバー後の高周波電力ピークが無線ネットワークにアップリンク擾乱を生じさせる。更に、過剰定格の電力レベルは、バッテリ付勢移動ステーションにおけるバッテリの寿命を不必要に短縮させる。
発明の要旨
本発明の目的は、上記問題を軽減する電力制御方法を提供することである。
これは、セルにおいて移動ステーションが送信に許される最大送信電力レベルを各セルに指定し、ハンドオーバーの前に移動ステーションにおいてハンドオーバーのターゲットセルのダウンリンク信号の受信レベルを測定し、ターゲットセルのダウンリンク信号の測定された受信レベルを使用することにより各ターゲットセルに対する移動ステーションの送信電力レベルを決定し、そしてこの決定された送信電力レベルをハンドオーバーの後にターゲットセルの初期出力電力レベルとして使用するように移動ステーションに指令することを特徴とする本発明の電力制御方法によって達成される。
更に、本発明は、移動通信システムにおけるハンドオーバーのための電力制御構成体にも係る。本発明による構成体は、セルにおいて移動ステーションが送信に許された最大送信電力レベルと、ハンドオーバーの後に移動ステーションが得るべきアップリンク信号の最適なレベルとが各セルに指定され、ハンドオーバーの後の移動ステーションの送信電力レベルは、ハンドオーバーの前に測定したターゲットセルのダウンリンク信号の測定された受信レベルがターゲットセルのアップリンク信号の最適なレベルより高い場合には、上記ターゲットセルのアップリンク信号の最適なレベルと上記ターゲットセルのダウンリンク信号の測定された受信レベルとの間の差に等しい量だけ、ターゲットセルの最大送信電力レベルより小さくされることを特徴とする。
本発明の基本的な考え方は、移動ステーションがハンドオーバーの後に各ターゲットセルにおいて使用すべき送信電力レベルを最適化し、ハンドオーバーの前に行った測定が、ターゲットセルのアップリンク信号状態が良好であることを示す場合に、移動ステーションの送信電力レベルを小さくすることである。しかしながら、ハンドオーバーの前に、移動ステーションは、ターゲットセル即ち隣接セルのダウンリンク信号レベルしか測定することができず、従って、固定ネットワークは、ターゲットセルのアップリンク状態についていかなる種類の測定情報も前もって有していない。しかしながら、本発明は、ダウンリンク方向とアップリンク方向との間に電力バランスが存在するようにセルラーネットワークが設計されるという事実を利用する。従って、セルのダウンリンク信号のレベルは、セルのサービスエリアにおいてアップリンク信号のレベルを近似すると仮定することができる。それ故、高いアップリンク信号レベルは、高いダウンリンク信号レベルを表す。最大送信電力を使用する隣接セルの放送制御チャンネルを移動ステーションが測定するときには、ハンドオーバーの前に測定したターゲットセルのダウンリンク信号の高いレベルは、ハンドオーバーの後の移動ステーションの適当な送信電力レベルが、ターゲットセルにおいて移動ステーションが使用を許された最大送信電力レベルより低いことを意味すると仮定することができる。従って、ハンドオーバーの後に移動ステーションが使用すべき送信電力レベルは、本発明により、ハンドオーバーの前にレベルが測定されるターゲットセルのダウンリンク信号のレベルを考慮に入れることにより最適化できる。
本発明の好ましい実施形態において、ターゲットセルには、更に、移動ステーションがハンドオーバーの直後に達成すべきアップリンク信号の最適なレベルが指定される。アップリンク信号の最適なレベルは、接続に関する限り充分であるから、これより高い測定されたダウンリンク信号レベルは、移動ステーションの送信電力を減少するのに使用できる電力限界を意味する。本発明によれば、ハンドオーバーに続いて、最大送信電力より低い送信電力レベルが使用され、この低い送信電力は、ターゲットセルのダウンリンク信号の測定レベルと、ターゲットセルのアップリンク信号の最適なレベルとの差を、ターゲットセルの最大の送信電力レベルから減算することにより決定される。この方法は、ターゲットセルの測定されたダウンリンクレベルがアップリンク信号の最適なレベルより相当に高い場合、換言すれば、移動ステーションがターゲットセルのベースステーションに接近している場合に、移動ステーションの送信電力レベルを相当に減少する。
【図面の簡単な説明】
以下、添付図面を参照し、本発明の好ましい実施形態を詳細に説明する。
図１は、本発明を適用できる移動通信システムの一部分を示す図である。
図２は、公知の送信電力制御を示す図である。
図３は、本発明による送信電力制御を示す図であり、そして図４は、そのフローチャートである。
好ましい実施形態の詳細な説明
本発明は、パンヨーロピアン移動通信システムＧＳＭ、ＤＣＳ１８００（デジタル通信システム）、ＰＣＮ（パーソナル通信ネットワーク）、ＵＭＣ（ユニバーサル移動通信）、ＵＭＴＳ（ユニバーサル移動テレコミュニケーションシステム）、ＦＰＬＭＴＳ（将来の公衆地上移動テレコミュニケーションシステム）等のセルラー又はトランク式移動通信システムに適用することができる。
図１は、ＧＳＭ型の移動通信システムを一例として示している。ＧＳＭ（移動通信用のグローバルなシステム）は、万国規格になりつつあるパンヨーロピアン移動通信システムである。図１は、ＧＳＭシステムの基本的な要素を示し、システムについては詳細に示していない。ＧＳＭシステムの詳細な説明については、ＧＳＭ推奨勧告と、「移動通信用のＧＳＭシステム（The GSM System for Mobile Communications）」、Ｍ．モウリ及びＭ．ポーテット、パライゼウ、フランス、１９９２年、ＩＳＢＮ：２−９５０７１９０−０−７を参照されたい。
ＧＳＭシステムは、セルラー無線システムである。移動サービス交換センターＭＳＣは、入呼び及び出呼びの接続を取り扱う。公衆交換電話ネットワーク（ＰＳＴＮ）の交換機と同様の機能を実行する。これに加えて、ネットワークの加入者レジスタと協働する加入者位置管理のような移動通信のみの特徴である機能も実施する。加入者レジスタとして、ＧＳＭシステムは、少なくとも、図１には示されていないホーム位置レジスタＨＬＲ及びビジター位置レジスタＶＬＲを備えている。加入者の位置のより正確な情報、通常は、位置エリアの精度がビジター位置レジスタに記憶され、一般的に、各移動サービス交換センターＭＳＣごとに１つのビジター位置レジスタＶＬＲがあり、ホーム位置レジスタＨＬＲは、移動ステーションＭＳがどのＶＬＲエリアを訪れているかを知る。移動ステーションＭＳは、ベースステーションシステムによりセンターＭＳＣに接続される。ベースステーションシステムは、ベースステーションコントローラＢＳＣと、ベースステーションＢＴＳ、即ち移動ステーションＭＳが無線リンクを経て固定ネットワークと通信するために使用する固定のトランシーバとを備えている。１つのベースステーションコントローラは、多数のベースステーションＢＴＳを制御するのに使用される。ＢＳＣのタスクは、とりわけ、ハンドオーバーを含み、このハンドオーバーは、ベースステーション内で行われるか、又は同じＢＳＣにより制御される２つのベースステーション間で行われる。図１は、明瞭化のために、９個のベースステーションＢＴＳ１−ＢＴＳ９がベースステーションコントローラＢＳＣに接続され、これらベースステーションの無線有効到達エリアが、対応する無線セルＣ１−Ｃ９を形成するようなベースステーションシステムのみを示している。
進行中通話の間のハンドオーバーの判断は、各セルに指定された種々のハンドオーバーパラメータに基づくと共に、移動ステーションＭＳ及びベースステーションＢＴＳにより報告される測定結果に基づいてベースステーションコントローラＢＴＳにより実行される。ハンドオーバーは、通常、無線経路の基準に基づいて行われるが、例えば、負荷の分担のような他の理由で行うこともできる。
例えば、ＧＳＭ技術推奨勧告によれば、移動ステーションＭＳは、サービスセルのダウンリンク信号のレベル及び質と、サービスセルの隣接セルのダウンリンク信号のレベルとを監視（測定）する。ベースステーションＢＴＳは、そのベースステーションのサービスを受ける各移動ステーションＭＳから受け取ったアップリンク信号のレベル及び質を監視（測定）する。全ての測定結果は、ベースステーションコントローラへ送信される。或いは又、ハンドオーバーについての全ての判断は、このような場合に全ての測定結果が送信される移動サービス交換センターＭＳＣにおいて行われてもよい。又、ＭＳＣは、少なくとも、１つのベースステーションコントローラのエリアから別のベースステーションコントローラのエリアへと生じるハンドオーバーも制御する。
移動ステーションＭＳが無線ネットワークをローミングする場合に、サービスセルのトラフィックチャンネルからその隣接セルのトラフィックチャンネルへのハンドオーバーは、通常は、（１）移動ステーションＭＳ及び／又はベースステーションＢＴＳの平均測定結果が、現在のサービスセルからの信号レベル及び／又は質が低く且つその隣接セルから良好な信号レベルが得られることを指示するとき、及び／又は（２）隣接セルが低い送信電力レベルで通信を実行できるとき即ち移動ステーションＭＳがセル間の境界領域にあるときに行われる。無線ネットワークにおいては、不必要に高い電力レベル、ひいては、ネットワークのどこかの干渉を回避することを目的とする。
ベースステーションコントローラＢＳＣは、システムハンドオーバーアルゴリズム及び報告された測定結果に基づいて、隣接セルの中から１つのセルをハンドオーバーのためのターゲットセルとして選択する。この選択は、最良の無線経路の質、即ち最大の信号レベルを有する隣接セルを選択することにより最も簡単に行うことができる。
ハンドオーバーの厳密な実施は、本発明によって本質的なものではないことに注意されたい。本発明の電力制御は、実際上全てのネットワーク制御ハンドオーバー手順に導入することができる。従って、ここでは、ハンドオーバーについてこれ以上詳細に説明する必要がなかろう。
移動ステーションの送信電力は、通常は、特殊な電力制御アルゴリズムにより固定ネットワークから制御される。移動ステーションは、サービスセルのベースステーションから受け取ったダウンリンク信号の受信レベル（電界強度）及び質を測定し、次いで、サービスセルのベースステーションは、移動ステーションから受け取ったアップリンク信号の受信レベル（電界強度）及び質を測定する。これらの測定結果及びプリセットされた電力制御パラメータに基づいて、電力制御アルゴリズムは、移動ステーションが電力制御コマンドにおいて通知されるところの適当な送信電力レベルを決定する。通話中に、電力制御が続けられる。
通常の電力制御の厳密な実施も、本発明にとって本質的なものではないことに注意されたい。本発明の電力制御は、実際上全ての電力制御アルゴリズムに導入することができる。従って、通常の電力制御については、これ以上説明する必要がなかろう。
図２のグラフは、移動ステーションが位置ＨＯにおいてベースステーションＢＴＳ１からベースステーションＢＴＳ２へハンドオーバーＨＯを行いそして移動ステーションがベースステーションＢＴＳ２の最大送信電力ＭＳ＿ＴＸＰＷＲ＿ＭＡＸ（ｎ）をその初期送信電力ＭＳ＿ＴＸＰＷＲ（ｎ）として使用するように指令された公知の状態を示している。これは、電力制御アルゴリズムが移動ステーションＭＳの送信電力を適当なレベルに調整する前に急激なＲＦ電力ピークを生じる。
本発明によれば、ハンドオーバーの後のターゲットセルの移動ステーションの初期送信電力ＭＳ＿ＴＸＰＷＲ（ｎ）は、ターゲットセルの最大送信電力ＭＳ＿ＴＸＰＷＲ＿ＭＡＸ（ｎ）ではなく、移動ステーションＭＳが隣接セルのダウンリンク信号の受信レベル（電界強度）に関連してハンドオーバーの前に実行した測定を利用することにより決定された値に調整され、この測定は、ハンドオーバーに対するターゲットセルのダウンリンク信号の受信レベルも与える。セルラーネットワークは、通常、ダウンリンク方向とアップリンク方向に電力バランスが存在するように設計されるので、セルのダウンリンク信号のレベルは、セルのサービスエリアのアップリンク信号のレベルを近似すると仮定することができる。従って、高いダウンリンク信号レベルは、移動ステーションＭＳがセルのベースステーションに比較的接近していることを指示し、従って、最大送信レベルが使用された場合には、高いアップリンク信号レベルも指示する。そこで、本発明によれば、ハンドオーバー後の移動ステーションＭＳの送信電力レベルＭＳ＿ＴＸＰＷＲ（ｎ）は、ハンドオーバーの前に測定されたターゲットセルのダウンリンク信号ＲＸ＿ＬＥＶ＿ＮＣＥＬＬ（ｎ）のレベルを考慮することにより最適化することができる。
本発明の好ましい実施形態においては、アップリンク信号に対する最適なレベルＭｓＯｐｔＬｅｖｅｌがセルに指定され、このレベルは、接続に充分なものであると共に移動ステーションがハンドオーバーの直後に達成すべきものである。アップリンク信号の最適なレベルは、各セルに別々に指定されるのが効果的である。セルのアップリンク信号の最適なレベルは、接続に充分なものであるから、アップリンク信号の最適なレベルより高いダウンリンク信号の任意の測定レベルは、移動ステーションの送信電力を減少するために使用することのできる電力限界を指示する。本発明の第１の実施形態によれば、移動ステーションの最適な初期送信電力ＭＳ＿ＴＸＰＷＲ（ｎ）は、次のように計算される。
ＭＳ＿ＴＸＰＷＲ（ｎ）＝ＭＳ＿ＴＸＰＷＲ＿ＭＡＸ（ｎ）−ＭＡＸ（０、（ＲＸＬＥＶ＿ＮＣＥＬＬ（ｎ）−ＭｓＯｐｔＬｅｖｅｌ））
但し、ＭＳ＿ＴＸＰＷＲ＿ＭＡＸ（ｎ）は、移動ステーションＭＳがターゲットセル（ｎ）において使用することが許された最大送信電力である。この最大送信電力は、例えば、１３ｄＢｍ−４３ｄＢｍの範囲内である。ＲＸＬＥＶ＿ＮＣＥＬＬ（ｎ）は、ターゲットセル（ｎ）のダウンリンク信号レベルを表し、このレベルは、移動ステーションＭＳが隣接セルに関する測定においてハンドオーバーの前に測定するレベルである。ダウンリンク信号のレベルは、通常、−１１０ｄＢｍ．．．−４７ｄＢｍの範囲にある。関数ＭＡＸは、ダウンリンク信号の測定レベルとアップリンク信号の最適なレベルとの間の正（≧０）の差のみを考慮するように確保する。
図３のグラフは、移動ステーションＭＳが位置ＨＯにおいてベースステーションＢＴＳ１からベースステーションＢＴＳ２へのハンドオーバーＨＯを実行する状態を示している。ハンドオーバー及び電力制御は、通常は、ベースステーションコントローラＢＳＣにより行われ、その動作を図４のフローチャートに示す。移動ステーションＭＳが現在ベースステーションＢＴＳ１のセルにあるときに、サービスセルのダウンリンク信号のレベル及びおそらくはその質と、隣接セルのダウンリンク信号の受信レベルとに関して、システムに使用されるハンドオーバーアルゴリズムに基づいて測定を行う。更に、ベースステーションＢＴＳ１は、移動ステーションＭＳのアップリンク信号のレベル及び質を測定することができる。これらの測定に基づいて、ハンドオーバーについての判断がハンドオーバーアルゴリズムの基準に従って行われ、ハンドオーバーのためのターゲットセル、この場合はベースステーションＢＴＳ２のセルが選択される（ブロック４０）。これに続いて、ベースステーションコントローラは、そのデータベースから、ターゲットセルｎの最大送信電力ＭＳ＿ＴＸＰＷＲ＿ＭＡＸ（ｎ）及びアップリンク信号の最適なレベルＭｓＯｐｔＬｅｖｅｌ（ｎ）をサーチする。更に、移動ステーションＭＳが隣接セルに関して実行した測定に基づいて、ベースステーションコントローラＢＳＣは、ハンドオーバーの前にターゲットセルのダウンリンク信号の受信レベルＲＸＬＥＶ＿ＮＣＥＬＬ（ｎ）を得る（ブロック４１）。次いで、上記式に基づき（ブロック４２）、ベースステーションコントローラＢＳＣは、ターゲットセルにおける移動ステーションＭＳの最適な初期電力レベルＭＳ＿ＴＸＰＷＲ（ｎ）を決定する。図３から明らかなように、測定された信号レベルＲＸＬＥＶ＿ＮＣＥＬＬ（ｎ）は、アップリンク信号の最適なレベルＭｓＯｐｔＬｅｖｅｌ（ｎ）より高く、この場合、測定された信号レベルとアップリンク信号の最適なレベルとの間の信号レベルの差Δは、移動ステーションＭＳの送信電力を減少するために使用することができる。図３から明らかなように、ハンドオーバーＨＯが実行されるときに、移動ステーションＭＳの最適な初期出力電力ＭＳ＿ＴＸＰＷＲ（ｎ）は、ターゲットセルの最大送信電力ＭＳ＿ＴＸＰＷＲ＿ＭＡＸ（ｎ）より上記信号レベル差Δまで低く調整される（ブロック４３）。これに続いて、通常の電力制御アルゴリズムが開始される（ブロック４４）。図３に示されたように、本発明によれば、ハンドオーバーにおいて不必要なＲＦ電力ピークを回避することができる。
添付図面及びその説明は単に本発明を示すものに過ぎない。本発明の方法及び構成体は、請求の範囲内でその細部を種々変更することができる。
【図１】
0003871707.tif 000002
【図２】
0003871707.tif 000003
【図３】
0003871707.tif 000004
【図４】
0003871707.tif 000005